【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】
土壌の汚染された区域に汚染土壌浄化プラントを設置し、掘削した汚染土壌を浄化した後に埋め戻す汚染土壌の浄化方法であって、
汚染された区域を汚染土壌浄化プラントの処理能力に応じた区分に分割し、いずれかの区分の汚染土壌を掘削して隣接する他の区分に搬出し、
汚染土壌を搬出した区分に汚染土壌浄化プラントを設置し、搬出した汚染土壌を汚染土壌浄化プラントで浄化し、
次いで他の区分の汚染土壌を順番に掘削して汚染土壌浄化プラントで浄化するとともに、浄化した土壌を掘削した区分に埋め戻すことを特徴とする汚染土壌の浄化方法。
【請求項２】
汚染された区域を浄化した後に、汚染土壌浄化プラントを撤去した跡地に汚染されていない埋め戻し土を埋め戻すことを特徴とする請求項１に記載の汚染土壌の浄化方法。
【請求項３】
汚染土壌を搬出した区分に汚染されていない埋め戻し土を埋め戻し、平坦にしてから汚染土壌浄化プラントを設置することを特徴とする請求項１または２に記載の汚染土壌の浄化方法。
【請求項４】
前記汚染土壌浄化プラントは、汚染土壌を洗浄して分級し、汚染物質を吸着した細粒分を除去する洗浄プラントと、汚染土壌を洗浄した洗浄水から汚染物質を細粒分とともに除去する浄水プラントとを備えることを特徴とする請求項１〜３のいずれか一項に記載の汚染土壌の浄化方法。
【請求項５】
汚染土壌を洗浄して分級し、汚染物質を吸着した細粒分を除去する洗浄プラントと、汚染土壌を洗浄した洗浄水から汚染物質を細粒分とともに除去する浄水プラントとを備える汚染土壌浄化プラントにおいて、前記浄水プラントは、洗浄水を貯める水槽の上に、洗浄水から汚染物質及び細粒分を除去する設備を設けることを特徴とする汚染土壌浄化プラント。
【請求項６】
前記洗浄プラントは、ドラムウォッシャーと、スクリーンユニットと、サンドクリーンと、サイクロンとを備え、汚染土壌中の石塊、砂礫、粗粒分を洗浄して除去することを特徴とする請求項５に記載の汚染土壌浄化プラント。
【請求項７】
前記洗浄プラント及び浄水プラントを覆う防音・防塵建屋を備えることを特徴とする請求項５または６に記載の汚染土壌浄化プラント。
【手続補正２】
【補正対象書類名】明細書
【補正対象項目名】００１１
【補正方法】変更
【補正の内容】
【００１１】
さらに、請求項１に記載の発明は、例えば図１に示すように、汚染された区域２００を汚染土壌浄化プラント１００の処理能力に応じた区分２０１〜２０７に分割し、いずれかの区分（２０６）の汚染土壌を掘削して隣接する他の区分（２０５）に搬出し、汚染土壌を搬出した区分２０６に汚染土壌浄化プラント１００を設置し、搬出した汚染土壌を汚染土壌浄化プラント１００で浄化し、次いで他の区分２０１〜２０５、２０７の汚染土壌を順番に掘削して汚染土壌浄化プラント１００で浄化するとともに、浄化した土壌を掘削した区分２０１〜２０５、２０７に埋め戻すことを特徴とする。
【手続補正３】
【補正対象書類名】明細書
【補正対象項目名】００１２
【補正方法】変更
【補正の内容】
【００１２】
従って、請求項１に記載の発明によれば、汚染土壌を掘削してから浄化し、埋め戻すまでの作業を連続して行うことができ、短期施工が可能となる。
【手続補正４】
【補正対象書類名】明細書
【補正対象項目名】００１３
【補正方法】変更
【補正の内容】
【００１３】
請求項２に記載の発明は、請求項１に記載の汚染土壌の浄化方法において、汚染された区域２００を浄化した後に、汚染土壌浄化プラント１００を撤去した跡地２０６に汚染されていない埋め戻し土を埋め戻すことを特徴とする。
【手続補正５】
【補正対象書類名】明細書
【補正対象項目名】００１４
【補正方法】変更
【補正の内容】
【００１４】
ここで埋め戻し土としては、浄化した土壌を用いてもよいし、外部から汚染されていない埋め戻し土を搬入してもよい。
汚染土壌を洗浄するとその体積は７０％程度となるため、区域２００を元の状態に戻すには、３０％の埋め戻し土が必要となる。
請求項２に記載の発明によれば、汚染土壌浄化プラントの跡地２０６を汚染されていない埋め戻し土で埋め戻すことで、浄化後の区域２００を平坦にすることができる。
【手続補正６】
【補正対象書類名】明細書
【補正対象項目名】００１５
【補正方法】変更
【補正の内容】
【００１５】
請求項３に記載の発明は、請求項１または２に記載の汚染土壌の浄化方法において、汚染土壌を搬出した区分２０６に汚染されていない埋め戻し土を埋め戻し、平坦にしてから汚染土壌浄化プラント１００を設置することを特徴とする。
【手続補正７】
【補正対象書類名】明細書
【補正対象項目名】００１６
【補正方法】変更
【補正の内容】
【００１６】
請求項３に記載の発明によれば、汚染土壌を搬出した区分２０６に汚染されていない埋め戻し土を埋め戻し、平坦にしてから汚染土壌浄化プラント１００を設置することにより、汚染土壌浄化プラント１００の設置や、汚染土壌の搬入を容易にすることができる。
【手続補正８】
【補正対象書類名】明細書
【補正対象項目名】００１７
【補正方法】変更
【補正の内容】
【００１７】
請求項４に記載の発明は、請求項１〜３のいずれか一項に記載の汚染土壌の浄化方法において、前記汚染土壌浄化プラント１００は、汚染土壌を洗浄して分級し、汚染物質を吸着した細粒分を除去する洗浄プラントと、汚染土壌を洗浄した洗浄水から汚染物質を細粒分とともに除去する浄水プラントとを備えることを特徴とする。
【手続補正９】
【補正対象書類名】明細書
【補正対象項目名】００１８
【補正方法】変更
【補正の内容】
【００１８】
請求項４に記載の発明によれば、洗浄プラントにより、汚染土壌を洗浄した洗浄水に含まれる汚染されていない土粒子の量を減らし、浄水プラントの処理能力を向上させるとともに、排出される脱水ケーキの量を減らすことができる。
また、浄水プラントにより、洗浄水を浄化して再利用することができ、水の使用量を節約することができる。
【手続補正１０】
【補正対象書類名】明細書
【補正対象項目名】００１９
【補正方法】変更
【補正の内容】
【００１９】
請求項５に記載の発明は、例えば、図２に示すように、汚染土壌を洗浄して分級し、汚染物質を吸着した細粒分を除去する洗浄プラントと、汚染土壌を洗浄した洗浄水から汚染物質を細粒分とともに除去する浄水プラントとを備える汚染土壌浄化プラントにおいて、前記浄水プラントは、洗浄水を貯める水槽（沈砂槽２１、原水槽２２、処理水槽２６、循環水槽２７、浮上油回収槽２８、濃縮廃油貯槽３０、貯泥槽３１）の上に、洗浄水から汚染物質及び細粒分を除去する設備（薬剤タンク２３、２４、シックナー２５、フィルタープレス３２）を設けることを特徴とする。
【手続補正１１】
【補正対象書類名】明細書
【補正対象項目名】００２０
【補正方法】変更
【補正の内容】
【００２０】
請求項５に記載の発明によれば、洗浄水を貯める水槽の上に、洗浄水から汚染物質及び細粒分を除去する設備を設けることで、浄水プラントに必要な設置面積を減らすことができる。
【手続補正１２】
【補正対象書類名】明細書
【補正対象項目名】００２１
【補正方法】変更
【補正の内容】
【００２１】
請求項６に記載の発明は、請求項５に記載の汚染土壌浄化プラントにおいて、前記洗浄プラントは、ドラムウォッシャー４と、スクリーンユニット５と、サンドクリーン９と、サイクロン１０とを備え、汚染土壌中の石塊、砂礫、粗粒分を洗浄して除去することを特徴とする。
【手続補正１３】
【補正対象書類名】明細書
【補正対象項目名】００２２
【補正方法】変更
【補正の内容】
【００２２】
請求項６に記載の発明によれば、汚染土壌中の石塊、砂礫、粗粒分を洗浄して除去することにより、浄水プラントの負荷を軽減することができ、洗浄水を貯める水槽を小さくして設置面積をさらに小さくすることができる。
【手続補正１４】
【補正対象書類名】明細書
【補正対象項目名】００２３
【補正方法】変更
【補正の内容】
【００２３】
請求項７に記載の発明は、請求項５または６に記載の汚染土壌浄化プラントにおいて、前記洗浄プラント及び浄水プラントを覆う防音・防塵建屋１を設けたことを特徴とする。
【手続補正１５】
【補正対象書類名】明細書
【補正対象項目名】００２４
【補正方法】変更
【補正の内容】
【００２４】
請求項７に記載の発明によれば、防音・防塵建屋１により、洗浄プラント及び浄水プラントから発生する騒音や粉塵、汚染物質や悪臭が周囲に漏れることを防ぐことができる。
【手続補正１６】
【補正対象書類名】明細書
【補正対象項目名】００６２
【補正方法】変更
【補正の内容】
【００６２】
さらに、請求項１に記載の発明によれば、汚染土壌を掘削してから浄化し、埋め戻すまでの作業を連続して行うことができ、短期施工が可能となる。
【手続補正１７】
【補正対象書類名】明細書
【補正対象項目名】００６３
【補正方法】変更
【補正の内容】
【００６３】
請求項２に記載の発明によれば、請求項１に記載の発明と同様の効果が得られるとともに、汚染土壌浄化プラントの跡地を汚染されていない埋め戻し土で埋め戻すことで、浄化後の区域を平坦にすることができる。
【手続補正１８】
【補正対象書類名】明細書
【補正対象項目名】００６４
【補正方法】変更
【補正の内容】
【００６４】
請求項３に記載の発明によれば、請求項１または２に記載の発明と同様の効果が得られるとともに、汚染土壌を搬出した区分に汚染されていない埋め戻し土を埋め戻し、平坦にしてから汚染土壌浄化プラントを設置することにより、汚染土壌浄化プラントの設置や、汚染土壌の搬入を容易にすることができる。
【手続補正１９】
【補正対象書類名】明細書
【補正対象項目名】００６５
【補正方法】変更
【補正の内容】
【００６５】
請求項４に記載の発明によれば、請求項１〜３のいずれか一項に記載の発明と同様の効果が得られるとともに、洗浄プラントにより、汚染土壌を洗浄した洗浄水に含まれる汚染されていない土粒子の量を減らし、浄水プラントの処理能力を向上させるとともに、排出される脱水ケーキの量を減らすことができる。
また、浄水プラントにより、洗浄水を浄化して再利用することができ、水の使用量を節約することができる。
【手続補正２０】
【補正対象書類名】明細書
【補正対象項目名】００６６
【補正方法】変更
【補正の内容】
【００６６】
請求項５に記載の発明によれば、洗浄水を貯める水槽の上に、洗浄水から汚染物質及び細粒分を除去する設備を設けることで、浄水プラントに必要な設置面積を減らすことができる。
【手続補正２１】
【補正対象書類名】明細書
【補正対象項目名】００６７
【補正方法】変更
【補正の内容】
【００６７】
請求項６に記載の発明によれば、請求項５に記載の発明と同様の効果が得られるとともに、汚染土壌中の石塊、砂礫、粗粒分を洗浄して除去することにより、浄水プラントの負荷を軽減することができ、洗浄水を貯める水槽を小さくして設置面積をさらに小さくすることができる。
【手続補正２２】
【補正対象書類名】明細書
【補正対象項目名】００６８
【補正方法】変更
【補正の内容】
【００６８】
請求項７に記載の発明によれば、請求項５または６に記載の発明と同様の効果が得られるとともに、防音・防塵建屋により、洗浄プラント及び浄水プラントから発生する騒音や粉塵、汚染物質や悪臭が周囲に漏れることを防ぐことができる。